(57)【特許請求の範囲】
【請求項１】
上下に設置した一対のワイヤに上端と下部とが固定された垂直支柱を設け、前記一対のワイヤに平行な水平ロッドを前記垂直支柱の下端に回動自在に取り付け、前記水平ロッドの一端に風力発電機取り付け支柱の下端を回動自在に取り付け、この風力発電機取り付け支柱の上端に発電機を固定するようにし、前記垂直支柱の下端および風力発電機取り付け支柱の下端を下に設置したワイヤに固定することによって、垂直支柱を常時垂直に維持するようにし、前記垂直支柱には風力発電機を取り付けたことを特徴とするワイヤ懸下式風力発電装置。
【請求項２】
上下に配置したワイヤに垂直支柱を取り付け、この垂直支柱に水平ロッドを回動自在に結合し、この水平ロッドに風力発電機取り付け支柱を回動自在に結合し、風力発電機取り付け支柱の下端を下側ワイヤに取り付け、風力発電機取り付け支柱に発電機を取り付けるようにした請求項１記載のワイヤ懸下式風力発電装置。
【請求項３】
垂直支柱にはアップウィンド型の風力発電機を取り付けるようにした請求項１記載のワイヤ懸下式風力発電装置。
【請求項４】
垂直支柱にはダウンウィンド型の風力発電機を取り付けるようにした請求項１記載のワイヤ懸下式風力発電装置。
【請求項５】
上下に設置した一対のワイヤそれぞれに等間隔に目印となるマークを設け、このマークに合わせて垂直支柱を前記一対のワイヤに固定するようにした、請求項１記載のワイヤ懸下式風力発電装置。
【発明の詳細な説明】
【技術分野】
【０００１】  本発明は、取り付け手段としてワイヤを用いた風力発電機に関するもので、特に設置を容易にし、風向の変化に対しても追随がスムーズであるものを提供するものである。【０００２】
【先行技術文献】
【特許文献】
【０００３】
【特許文献１】特開２０１０−１６３９５２号公報
【特許文献２】特開２０１３−２５６９５８号公報
【発明の概要】
【発明が解決しようとする課題】
【０００４】  風力発電機は、支柱の上に取り付けられる場合が多く、このような場合には支柱１本に対し、１つの発電機しか設置できない。また、支柱として台風にも耐えるように頑丈なものを用意する必要がある。【０００５】  大型風力発電機を山頂に設置する場合には、山頂まで重機を入れる必要があり、このため山肌の立ち木を伐採し、重機が通る道を建設する必要がある。このため、このような風力発電機を設置すること自体が自然破壊に繋がるという問題があった。【０００６】  これに対し、特許文献１および特許文献２に開示されるように、ワイヤで発電機を懸下することによって、発電機の支持手段として、例えば２つの山頂間に渡したワイヤとすることができる。ワイヤは軽量であるため、人力やヘリコプターでも山頂まで持ち上げることができ、山肌に道路を建設する必要がない。【０００７】  さらに、山肌に道路を建設する必要がないため、設置条件が緩くなり、風況の良い場所に設置が可能である。そして、ワイヤに多数の風力発電機を懸下することによって、大型発電機に匹敵する電力を発電することができる。つまり発電機が小型でよく、発電機を構成する部品を小さくできるため、金型を用いて安価に量産が可能であり、ベアリング等は汎用の物が使用でき、価格が安く交換部品の入手も容易となる。
【課題を解決するための手段】
【０００８】  上記のとおり、特許文献１および特許文献２に開示された、ワイヤ懸下式の風力発電機は、多くの特徴を有するのであるが、さらに市販されているアップウィンド式の小型発電機をワイヤで懸下できるようにし、また設置工事がさらに容易になるようにすることが求められる。【０００９】  このため、上下に設置した一対のワイヤに上端と下端とが固定された垂直支柱を設け、一対のワイヤに平行な水平ロッドを垂直支柱に回動自在に取り付け、水平ロッドの一端に発電機取り付け支柱の下端を回動自在に取り付け、この発電機取り付け支柱の上端に発電機を固定するようにした。また、垂直支柱の下部および発電機取り付け支柱の下部を下に設置したワイヤに固定することによって、垂直支柱を常時垂直に維持することができる。そして、垂直支柱にはアップウィンド型或いはダウンウィンド型の風力発電機を取り付けることができる。
【発明の効果】
【００１０】  上下ワイヤに垂直支柱を取り付け、この垂直支柱に水平支柱を回動自在に結合し、この水平支柱に取り付け支柱を回動自在に結合し、取り付け支柱の下端を下ワイヤに取り付け、取り付け支柱に風力発電機を取り付けるようにしているため、取り付け支柱にはアップウィンド型の風力発電機でもダウンウィンド型の風力発電機でも取り付けることができる。【００１１】  このため取り付け支柱で支持する風力発電機に対して、ワイヤ懸下式の風力発電機の特徴を生かしながら、多くの種類の風力発電機を設置することができる。つまり風力発電機として市販されている最も安価なものを選択して、ワイヤ懸下式のものとすることができ、システム全体として安価に構成することができる。【００１２】  またシステム全体として、要求される発電容量に合わせて小型の風力発電機を単一のワイヤに何個設置するか決定することができ、設置個数によって総発電量を決定することができる。【００１３】  以上のとおり、水平支柱に取り付け支柱を設けているため、取り付け支柱にはアップウィンド型の発電機もダウンウィンド型の発電機も取り付けが可能となる。
【図面の簡単な説明】
【００１４】
【図１】  本発明のワイヤ懸下式風力発電装置の実施例１における斜視図。
【図２】  本発明のワイヤ懸下式風力発電装置の実施例１における正面図。
【図３】  本発明のワイヤ懸下式風力発電装置の実施例２における正面図。
【発明を実施するための形態】
【００１５】  本発明は、上下ワイヤに垂直支柱を取り付け、この垂直支柱に水平支柱を回動自在に結合し、この水平支柱に取り付け支柱を回動自在に結合し、取り付け支柱の下端を下ワイヤに取り付け、取り付け支柱に風力発電機を取り付けるようにしているため、取り付け支柱にはアップウィンド型の風力発電機でもダウンウィンド型の風力発電機でも取り付けることができる。
【実施例１】
【００１６】  図１について、１は上ワイヤであり、２は下ワイヤである。上ワイヤ１と下ワイヤ２は、例えばそれぞれ一対の山頂の間に張られている。３は垂直支柱であり、その上端は上ワイヤプレート４によって上ワイヤ１に結合されている。上ワイヤプレート４は垂直支柱３に対して、回動自在である。【００１７】  垂直支柱３の下端は、ボルト５によって水平ロッド６の中央部と回動自在に結合されている。垂直支柱３の水平ロッド６との結合部の上に下ワイヤプレート７とボルト８によって回動自在に結合されている。ここでワイヤプレート４及び７は、例えば鉄板に一対のＵ字ボルトを結合したものである。【００１８】  ９は第１取り付け支柱であり、その上端にはアップウィンド型の第１風力発電機１０が取り付けられている。第１取り付け支柱９の下端には、水平ロッド６の一端が回動自在にボルト１１によって結合されている。第１取り付け支柱９の水平ロッド６との結合部の上に下ワイヤプレート１２とボルト１３によって回動自在に結合されている。【００１９】  １４は第２取り付け支柱であり、その上端にはアップウィンド型の第２風力発電機１５が取り付けられている。第２取り付け支柱１４の下端には、水平ロッド６の他端が回動自在にボルト１６によって結合されている。第２取り付け支柱１４の水平ロッド６との結合部の上に下ワイヤプレート１７とボルト１８によって回動自在に結合されている。【００２０】  本発明の実施例１は以上のような構成よりなり、垂直支柱３が上ワイヤ及び下ワイヤ２によって支持され、垂直支柱３はワイヤ及び下ワイヤ２に対して回動自在である。また第１取り付け支柱９と第２取り付け支柱１４も下ワイヤ２に対して回動自在で、かつ垂直支柱３と第１取り付け支柱９と第２取り付け支柱１４との下端がそれぞれ水平ロッド６で連結されているため、上ワイヤ１と下ワイヤ２の位置がずれても、垂直支柱３と第１取り付け支柱９と第２取り付け支柱１４とは、常に互いに平行に維持される。【００２１】  このため、第１風力発電機１０と第２風力発電機１５との間隔は常に一定に保たれ、第１風力発電機１０と第２風力発電機１５とが近接して空理気的に干渉するというようなことはない。また、垂直支柱３が垂直になるように設置すると、これに平行な第１取り付け支柱９と第２取り付け支柱１４も垂直に維持され、第１風力発電機１０及び第２風力発電機１５は垂直な支柱９、１４に設置されることになり、風向が変化した場合にスムーズに風の向きに追随する。
【実施例２】
【００２２】  以下、本発明の実施例２について図３に沿って説明する。１７，１８は一対のポールであり、例えば電柱に使われるコンクリート柱である。このコンクリート柱１７，１８には、上ワイヤ１及び下ワイヤ２が取り付けられている。上ワイヤ１及び下ワイヤ２には、一定の間隔でマーク１９，２０が設けられている。このマーク１９，２０は上ワイヤ１及び下ワイヤ２に塗料やメッキあるいは何らかの識別できる手段で付される。【００２３】  風力発電機を複数隣接して設ける場合には、所定距離以上離さないと、互いに干渉し性能が発揮できない。そして、その距離は一般に羽の直径の２．５倍といわれている。よって、マーク１９，２０は用いられる風力発電機の羽の直径の２．５倍以上の間隔で、等間隔に設けるのが好ましい。【００２４】  またマーク１９の真下にマーク２０を設ける。これによって、マーク１９，２０を目印にして風力発電機２１を上ワイヤ１及び下ワイヤ２に取り付けると、風力発電機２１は垂直に取り付けることができる。図３のＡ部拡大図を参照して、２２は風力発電機の取り付け用の垂直支柱である。この垂直支柱の上端には、ワイヤークリップ２３が取り付けられ、ワイヤークリップ２３は上ワイヤ１のマーク１９に合わせて上ワイヤ１に垂直支柱２２を固定している。ここで風力発電機２１はダウンウィンド型であるが、実施例１の構造を用いてアップウィンド型の風力発電機を取り付けることもできる。
【産業上の利用可能性】
【００２５】  本発明のワイヤ懸下式風力発電装置は、以上のように複数の風力発電機をワイヤによって懸下するようにしたものであって、それぞれの風力発電機は取り付け支柱によって支持され、それらの取り付け支柱は常に垂直に維持される。このため、風向の変化に対してスムーズに追随することができる。
【符号の説明】
【００２６】１    上ワイヤ
２    下ワイヤ
３    垂直支柱
４    上ワイヤプレート
５    ボルト
６    水平ロッド
７    下ワイヤプレート
８    ボルト
９    第１取り付け支柱
１０  第１風力発電機
１１  ボルト
１２  下ワイヤプレート
１３  ボルト
１４  第２取り付け支柱
１５  第２風力発電機
１６  ボルト
１７，１８  コンクリート柱
１９，２０  マーク
２１  風力発電機
２２  垂直支柱
【図１】
0006387489.tif 000002
【図２】
0006387489.tif 000003
【図３】
0006387489.tif 000004